(57)【要約】【課題】光ファイバー方式の高画質デジタル映像・音声資料インターフェースを有する通信設備の提供。【解決手段】光ファイバー方式の高画質デジタル映像・音声資料インターフェース（ＨＤＭＩ／ＤＶＩ／ＵＤＩ）を有する通信設備であり、光ファイバーを利用して通信設備のロジックチャンネル（ｌｏｇｉｃａｌ  ｃｈａｎｎｅｌ）の実際接続回線とし、ロジックチャンネルの映像、音声及び補助資料等の伝送に使用される。そして、資料ディスプレイチャンネルの半二重通信に対し、逆方向ユニット（逆向單元）、シリアルユニット及びマルチシリアルユニットを適当に配置し、光ファイバー通信がDCバランスに対する要求を満足させ、そして資料ディスプレイチャンネル（ＤＤＣ）と消費性電子製品制御チャンネル（ＣＥＣ）が所属する１2Cのバス規格の許容偏差値が低いとの問題を解決させる。【選択図】図２
2008017438.tif 000002
【特許請求の範囲】
【請求項１】
少なくとも一本の光ファイバーを介し、高画質デジタル映像・音声資料インターフェースの複数のロジックチャンネルにおける資料を伝送し、そして、高画質デジタル映像・音声資料インターフェースの資料ディスプレイチャンネルと消費性電子製品制御チャンネルを受信する、この光ファイバー方式のデジタル映像・音声資料インターフェースの通信設備には以下のものが含まれている、
該光送信ユニットは複数のロジックチャンネルの資料を光信号に転換して前述の光ファイバーに伝送し、そして、
該第一資料ディスプレイチャンネルの通信モジュールは、当資料ディスプレイチャンネルと消費性電子製品制御チャンネルの資料をＤＣバランス、序列化に処理してから、光信号に転換した後に前述の光ファイバーに伝送して通信を行い、且つ、受信した光信号を電気信号に転換してシリアル解読後、ＤＣバランス解消後に処理してから、当資料ディスプレイチャンネルと消費性電子製品制御チャンネルに伝送することを特徴とする光ファイバー方式の高画質デジタル映像・音声資料インターフェースを有する通信設備。
【請求項２】
第一資料ディスプレイチャンネルの通信モジュールは以下のものを含めている、
該複数の第一逆方向ユニットは当資料ディスプレイチャンネルと消費性電子製品制御チャンネルの資料を第一逆方向資料にさせる、
該第一シリアルユニットは第一逆方向資料及び当資料ディスプレイチャンネルと消費性電子製品制御チャンネルの第一非逆方向資料を序列的に出力し、第一シリアル資料に成らす、
該第一光送信／受信ユニットは第一シリアル資料を伝送し、第二シリアル資料を受信する、そして、
該第一シリアル解読ユニットは第二シリアル資料をシリアル解読で処理することを特徴とする請求項１に記載の光ファイバー方式の高画質デジタル映像・音声資料インターフェースを有する通信設備。
【請求項３】
当該光送信ユニットは複数の光トランシーバ用ＴＯＳＡによって構成されることを特徴とする請求項１に記載の光ファイバー方式の高画質デジタル映像・音声資料インターフェースを有する通信設備。
【請求項４】
当該光送信ユニットは複数の二重光トランシーバ用ＴＯＳＡによって構成されることを特徴とする請求項１に記載の光ファイバー方式の高画質デジタル映像・音声資料インターフェースを有する通信設備。
【請求項５】
当該第一光送信／受信ユニットは、ＢＯＳＡになっていることを特徴とする請求項２に記載の光ファイバー方式の高画質デジタル映像・音声資料インターフェースを有する通信設備。
【請求項６】
更に、第一カプラ／スプリッタを含めており、当光送信ユニットと第一光送信／受信ユニットが伝送するそれぞれの資料を結合し、それから、それらの光ファイバーの一つを通して伝送する、第一カプラ／スプリッタはまた、受信した資料を第一光送信／受信ユニットへ出力するのに使われることを特徴とする請求項２に記載の光ファイバー方式の高画質デジタル映像・音声資料インターフェースを有する通信設備。
【請求項７】
少なくとも一本の光ファイバーを利用して請求項１で述べられたような光ファイバー方式の高画質デジタル映像・音声資料インターフェースの複数のロジックチャンネルの資料を受信し、そして、高画質デジタル映像・音声資料インターフェースの資料ディスプレイチャンネルと消費性電子製品制御チャンネルの資料を伝送したり、受信したりする、これには以下のものが含まれている、
該光受信ユニットは複数のロジックチャンネルの光信号を受信し、電気信号に転換してから複数のロジックチャンネルに伝送する、そして、
該第二資料ディスプレイの通信モジュールは、資料ディスプレイチャンネルと消費性電子製品制御チャンネルの資料をDCバランス、序列化に処理して光信号に転換してから、前述の光ファイバーに伝送して通信を行い、しかも、受信した光信号を電気信号に転換し、シリアル解読、DCバランス解消処理をしてから、資料ディスプレイチャンネルと消費性電子製品制御チャンネルへ伝送することを特徴とする光ファイバー方式の高画質デジタル映像・音声資料インターフェースを有する通信設備。
【請求項８】
第二資料ディスプレイチャンネルの通信モジュールには以下のものが含まれている、
該複数の第二逆方向ユニットは資料ディスプレイチャンネルと消費性電子製品制御チャンネルの資料を処理して第二逆方向資料にする、
該第二シリアルユニットは第二逆方向資料及びその資料ディスプレイチャンネルと消費性電子製品制御チャンネルにおける第二非逆方向資料を序列的に出力し、第二シリアル資料にする、
該第二光送信／受信ユニットは第二シリアル資料を伝送したり、第一シリアル資料を受信したりする、そして、
該第二シリアル解読ユニットは第一シリアル資料をシリアル解読にすることを特徴とする請求項７に記載の光ファイバー方式の高画質デジタル映像・音声資料インターフェースの通信設備。
【請求項９】
当該光受信ユニットは複数のＲＯＳＡによって構成されることを特徴とする請求項７に記載の光ファイバー方式の高画質デジタル映像・音声資料インターフェースの通信設備。
【請求項１０】
当該光受信ユニットは複数のＤＲＯＳＡによって構成されることを特徴とする請求項７に記載の光ファイバー方式の高画質デジタル映像・音声資料インターフェースの通信設備。
【請求項１１】
当該第二光送信／受信ユニットはＢＯＳＡになっていることを特徴とする請求項８に記載の光ファイバー方式の高画質デジタル映像・音声資料インターフェースの通信設備。
【請求項１２】
更に、第二カプラ／スプリッタを含めており、第二光送信／受信ユニットが伝送する資料を出力し、そして、それらの光ファイバーの一つを介して伝送する、当第二カプラ／スプリッタはまた、分割して受信する資料を光受信ユニットと第二光送信／受信ユニットへ伝送することを特徴とする請求項８に記載の光ファイバー方式の高画質デジタル映像・音声資料インターフェースの通信設備。
【発明の詳細な説明】
【技術分野】
【０００１】
本発明は一種の高画質デジタル映像・音声資料のインターフェイスであり、特に、光ファイバーを通信媒介とする高画質のデジタル映像・音声資料に関する通信設備を指している。
【背景技術】
【０００２】
高画質デジタル映像・音声資料インターフェースには、高解像度マルチインターフェース（Ｈｉｇｈ−Ｄｅｆｉｎｉｔｉｏｎ  Ｍｕｌｔｉｍｅｄｉａ  Ｉｎｔｅｒｆａｃｅ、ＨＤＭＩ）、ＤＶＩインターフェース（Ｄｉｇｉｔａｌ  Ｖｉｓｕａｌ  Ｉｎｔｅｒｆａｃｅ、ＤＶＩ）及び将来の統合インターフェース（Ｕｎｉｆｉｅｄ  Ｄｉｓｐｌａｙ  Ｉｎｔｅｒｆａｃｅ、ＵＤＩ）等が含まれている。その中で、高画質マルチメディア通信インターフェース（ＨＤＭＩ）は、音源と視覚源を統合する通信規格であり、そのアレンジメントはＤＶＩインターフェース（ＤＶＩ）を基礎としているため、より高い通信帯域幅とより小型化のコネクターを利用することになり、単一のケーブルで非圧縮の音声率信号と高画質の視覚率信号を伝送することができる。視聴システムの設置を簡単化にするだけでなく、視聴品質をも向上させる。そして、統合インターフェース（ＵＤＩ）は、高画質テレビ（Ｈｉｇｈ  Ｄｅｆｉｎｉｔｉｏｎ  ＴｅｌｅＶｉｓｉｏｎ、ＨＤＴＶ）の信号に互換するPCデジタルディスプレイインテーフェースの基準であり、時代遅れのビデオ・グラフィックス・アレイ（Ｖｉｄｅｏ Ｇｒａｐｈｉｃｓ Ａｒｒａｙ、ＶＧＡ）というアナログ基準を徐々に取り替え、ＤＶＩインターフェース（ＤＶＩ）基準及び高画質マルチメディア通信インターフェース（ＨＤＭＩ）に互換する。
【０００３】
高画質マルチメディア通信インターフェース（ＨＤＭＩ）を例に挙げれば、通信規格の表現において、高画質マルチメディア通信インターフェース（ＨＤＭＩ）はＴＭＤＳ信号（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ、ＴＭＤＳ）のコーディングが採用されている。ＴＭＤＳ信号（ＴＭＤＳ）は、アルージービー（RGB）／輝度色差（YPｂPr）の色彩データとクロックチャンネルをはじめ、四つのチャンネル（一つは連結している）のシリアル通信回路を持っている。各チャンネルは５０Ωの端末抵抗、０.１５Vの電圧差のＬＶＤＳ（低振幅差分）方式を採用しており、それぞれに、最大１.６５Ｇｂｐｓの通信速度を有している。そのため、一つの接続で５Ｇｂｐｓの通信速度を達することができる。
【０００４】
また、高画質マルチメディア通信インターフェース（ＨＤＭＩ）は高帯域幅のデジタルコンテンツに対するプロテクション（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ、ＨＤＶＰ）への対応が付加されている。このメカニズムは、映画の製作業者とテレビ通信業者が一致に合意した、映画やプログラムの製作への知的財産権に関する協議であり、デジタル信号、映像データの不法複製を抑止することができる。高画質マルチメディア通信インターフェースはまた、より良い資料ディスプレイチャンネル（Ｄｉｓｐｌａｙ  Ｄａｔａ  Ｃｈａｎｎｅｌ、ＤＤＣ）を提供し、受信設備が持つ解像度等の表示力の拡張表示識別資料（擴張顯示識別資料）（Ｅｘｔｅｎｄｅｄ  Ｄｉｓｐｌａｙ  Ｉｄｅｎｔｉｆｉｃａｔｉｏｎ、ＥＤＩＤ）に関する読み取りと表示に利用される。そして、高帯域幅のデジタルコンテンツに対するプロテクション（ＨＤＣＰ）を搭載した送信と受信設備の間にも、資料ディスプレイチャンネル（ＤＤＣ）を利用してパスワードの認証を行っている。送信設備と受信設備は一定の時間間隔で相互認証を行い、認証が失敗した場合、信号の内容を保護するために、視覚と音声の通信は直ちに中断される。高画質マルチメディア通信インターフェース（ＨＤＭＩ）の通信中では、ＣＥＣ（Ｃｏｎｓｕｍｅｒ  Ｅｌｅｃｔｒｏｎｉｃｓ  Ｃｏｎｔｒｏｌ／ＣＥ  Ｃｏｎｔｒｏｌ）の通信を選択的に使用することができる。ヨーロッパでの映像・音声設備は「ＡＶ．Ｌｉｎｋ」の使用が慣用になり、これは、複数の機械間ののリモート通信協定であり、高画質マルチメディア通信インターフェース（ＨＤＭＩ）もこれを対応しているので、一つのリモコンで複数の映像・音声設備をコントロールすることができる。
【０００５】
「図１」は従来の高画質マルチメディア通信インターフェース（ＨＤＭＩ）の送信／受信システムの枠組であり、高画質マルチメディア通信インターフェースの送信設備１０と受信設備１１を含めている。前者は送信ユニット１０１を、後者は受信ユニット１１１を有している。高画質マルチメディア通信インターフェースの送信ユニット１０においては、映像・音声資料６０１〜６０３は送信ユニット１０１を介して高画質マルチメディア通信インターフェースを有する受信ユニット１１１に伝送され、受信ユニット１１１が、これらの資料を受け取る。これらの資料を伝送するロジックチャンネルはそれぞれ第一資料チャンネル９０１、第二資料チャンネル９０２、第三資料チャンネル９０３がある。また、クロックチャンネル９０４もあり、資料回復の周波数参考として、映像画素クロック（Ｖｉｄｅｏ ｐｉｘｅｌ  ｃｌｏｃｋ）６０４をロードして受信ユニット１１１に送ることがその役割である。この四つのロジックチャンネルは単純化（ｓｉｍｐｌｅｘ）の通信タイプであり、すなわち、送信ユニット１０１で資料を伝送し、受信ユニット１１１で資料を受け取ること。
【０００６】
それに、受信設備１１の解像度等の表示力の拡張表示識別資料（擴張顯示識別資料）（ＥＤＩＤ）を読み取って表示させるための、資料ディスプレイチャンネル（ＤＤＣ） ９０５及び消費性電子製品制御（ＣＥＣ）チャンネル９０６がある。資料ディスプレイチャンネル９０５もロジックチャンネルであり、その通信規格は１2Cバス規格に一致しており、一種のシステム管理バスである。それには、シリアル資料回線（Ｓｅｒｉａｌ  Ｄａｔａ  Ｌｉｎｅ、ＳＤＬ）とシリアルクロック回線（Ｓｅｒｉａｌ  Ｃｌｏｃｋ  Ｌｉｎｅ、ＳＣＬ）が含まれている。それぞれの回線は、受信設備１１の識別資料と設備との間の参考クロックの通信をしている。資料ディスプレイチャンネル９０５は半二重（ｈａｌｆ−ｄｕｐｌｅｘ）通信タイプであり、すなわち、高画質マルチメディア通信インターフェースの送信設備１０と受信設備１１との間は相互に資料の通信ができるが、一つの時間内では一方的に送信し、一方的に受信することしかできない。
【０００７】
従来の高画質マルチメディア通信インターフェース（ＨＤＭＩ）の送信／受信システムでは、銅線で実際に接続されている。銅線の特性では、電磁の干渉を受けやすい以外にも、銅線の帯域幅が限られているという欠点がある。この欠点は通信インターフェースの高帯域幅に関する発展を阻害している。一方、信号は銅線内で通信される時にも功率が消耗してしまう状況があるので、高画質マルチメディア通信インターフェースの通信回線は多くても１５メータ以内に限られてしまう。本発明は、従来の高画質マルチメディア通信インターフェース（ＨＤＭＩ）、ＤＶＩインターフェース（ＤＶＩ）及び統合インターフェース（ＵＤＩ）の送信／受信システムの下で、銅線の代わりに光ファイバーを実際の接続に使用し、従来の銅線方式の欠点を改正することができる。
【発明の開示】
【発明が解決しようとする課題】
【０００８】
前述の問題を解決するために、本発明は一種の光ファイバー方式の高画質デジタル映像・音声資料インターフェース（ＨＤＭＩ／ＤＶＩ／ＵＤＩ）の通信設備を掲示している。光ファイバーで従来の銅線を取り替え、光ファイバーが持つ電磁の干渉なく、高速通信率及び通信時の低い消耗等の特長を利用し、高画質デジタル映像・音声資料インターフェースの通信媒介としている。
【０００９】
本発明が開示している光ファイバー方式の高画質デジタル映像・音声資料インターフェースの送信と受信設備は、光ファイバーを高画質デジタル映像・音声資料インターフェースのロジックチャンネルの実際接続回線としている。ロジックチャンネルには、第一資料チャンネル、第二資料チャンネル、第三資料チャンネル、クロックチャンネル、資料ディスプレイチャンネル、及び消費性電子製品制御チャンネルが含まれている。本発明は、一本の光ファイバーに少なくとも一つ以上のロジックチャンネルを設置しており、光結合方式で資料ディスプレイチャンネルと消費性電子製品制御チャンネルにおける資料を他のロジックチャンネルへカプラで接線する。そして、資料ディスプレイチャンネルでの半二重通信タイプに対し、逆方向ユニット （逆向單元）、シリアルユニット及びマルチシリアルユニットを適当に配置し、光ファイバー通信が要求するDCバランスを満足させ、そして、資料ディスプレイチャンネル（ＤＤＣ）と消費性電子製品制御チャンネル（ＣＥＣ）が所属する１2Cバス規格の許容偏差値 （容錯度）がより低いとの欠点を解決させる。
【課題を解決するための手段】
【００１０】
請求項１の発明は、少なくとも一本の光ファイバーを介し、高画質デジタル映像・音声資料インターフェースの複数のロジックチャンネルにおける資料を伝送し、そして、高画質デジタル映像・音声資料インターフェースの資料ディスプレイチャンネルと消費性電子製品制御チャンネルを受信する、この光ファイバー方式のデジタル映像・音声資料インターフェースの通信設備には以下のものが含まれている、
該光送信ユニットは複数のロジックチャンネルの資料を光信号に転換して前述の光ファイバーに伝送し、そして、
該第一資料ディスプレイチャンネルの通信モジュールは、当資料ディスプレイチャンネルと消費性電子製品制御チャンネルの資料をＤＣバランス、序列化に処理してから、光信号に転換した後に前述の光ファイバーに伝送して通信を行い、且つ、受信した光信号を電気信号に転換してシリアル解読後、ＤＣバランス解消後に処理してから、当資料ディスプレイチャンネルと消費性電子製品制御チャンネルに伝送することを特徴とする光ファイバー方式の高画質デジタル映像・音声資料インターフェースを有する通信設備としている。
請求項２の発明は、第一資料ディスプレイチャンネルの通信モジュールは以下のものを含めている、
該複数の第一逆方向ユニットは当資料ディスプレイチャンネルと消費性電子製品制御チャンネルの資料を第一逆方向資料にさせる、
該第一シリアルユニットは第一逆方向資料及び当資料ディスプレイチャンネルと消費性電子製品制御チャンネルの第一非逆方向資料を序列的に出力し、第一シリアル資料に成らす、
該第一光送信／受信ユニットは第一シリアル資料を伝送し、第二シリアル資料を受信する、そして、
該第一シリアル解読ユニットは第二シリアル資料をシリアル解読で処理することを特徴とする請求項１に記載の光ファイバー方式の高画質デジタル映像・音声資料インターフェースを有する通信設備としている。
請求項３の発明は、当該光送信ユニットは複数の光トランシーバ用ＴＯＳＡによって構成されることを特徴とする請求項１に記載の光ファイバー方式の高画質デジタル映像・音声資料インターフェースを有する通信設備としている。
請求項４の発明は、当該光送信ユニットは複数の二重光トランシーバ用ＴＯＳＡによって構成されることを特徴とする請求項１に記載の光ファイバー方式の高画質デジタル映像・音声資料インターフェースを有する通信設備としている。
請求項５の発明は、当該第一光送信／受信ユニットは、ＢＯＳＡになっていることを特徴とする請求項２に記載の光ファイバー方式の高画質デジタル映像・音声資料インターフェースを有する通信設備としている。
請求項６の発明は、更に、第一カプラ／スプリッタを含めており、当光送信ユニットと第一光送信／受信ユニットが伝送するそれぞれの資料を結合し、それから、それらの光ファイバーの一つを通して伝送する、第一カプラ／スプリッタはまた、受信した資料を第一光送信／受信ユニットへ出力するのに使われることを特徴とする請求項２に記載の光ファイバー方式の高画質デジタル映像・音声資料インターフェースを有する通信設備としている。
請求項７の発明は、少なくとも一本の光ファイバーを利用して請求項１で述べられたような光ファイバー方式の高画質デジタル映像・音声資料インターフェースの複数のロジックチャンネルの資料を受信し、そして、高画質デジタル映像・音声資料インターフェースの資料ディスプレイチャンネルと消費性電子製品制御チャンネルの資料を伝送したり、受信したりする、これには以下のものが含まれている、
該光受信ユニットは複数のロジックチャンネルの光信号を受信し、電気信号に転換してから複数のロジックチャンネルに伝送する、そして、
該第二資料ディスプレイの通信モジュールは、資料ディスプレイチャンネルと消費性電子製品制御チャンネルの資料をDCバランス、序列化に処理して光信号に転換してから、前述の光ファイバーに伝送して通信を行い、しかも、受信した光信号を電気信号に転換し、シリアル解読、DCバランス解消処理をしてから、資料ディスプレイチャンネルと消費性電子製品制御チャンネルへ伝送することを特徴とする光ファイバー方式の高画質デジタル映像・音声資料インターフェースを有する通信設備としている。
請求項８の発明は、第二資料ディスプレイチャンネルの通信モジュールには以下のものが含まれている、
該複数の第二逆方向ユニットは資料ディスプレイチャンネルと消費性電子製品制御チャンネルの資料を処理して第二逆方向資料にする、
該第二シリアルユニットは第二逆方向資料及びその資料ディスプレイチャンネルと消費性電子製品制御チャンネルにおける第二非逆方向資料を序列的に出力し、第二シリアル資料にする、
該第二光送信／受信ユニットは第二シリアル資料を伝送したり、第一シリアル資料を受信したりする、そして、
該第二シリアル解読ユニットは第一シリアル資料をシリアル解読にすることを特徴とする請求項７に記載の光ファイバー方式の高画質デジタル映像・音声資料インターフェースの通信設備としている。
請求項９の発明は、当該光受信ユニットは複数のＲＯＳＡによって構成されることを特徴とする請求項７に記載の光ファイバー方式の高画質デジタル映像・音声資料インターフェースの通信設備としている。
請求項１０の発明は、当該光受信ユニットは複数のＤＲＯＳＡによって構成されることを特徴とする請求項７に記載の光ファイバー方式の高画質デジタル映像・音声資料インターフェースの通信設備としている。
請求項１１の発明は、当該第二光送信／受信ユニットはＢＯＳＡになっていることを特徴とする請求項８に記載の光ファイバー方式の高画質デジタル映像・音声資料インターフェースの通信設備としている。
請求項１２の発明は、更に、第二カプラ／スプリッタを含めており、第二光送信／受信ユニットが伝送する資料を出力し、そして、それらの光ファイバーの一つを介して伝送する、当第二カプラ／スプリッタはまた、分割して受信する資料を光受信ユニットと第二光送信／受信ユニットへ伝送することを特徴とする請求項８に記載の光ファイバー方式の高画質デジタル映像・音声資料インターフェースの通信設備としている。
【発明の効果】
【００１１】
本発明は一種の光ファイバー方式の高画質デジタル映像・音声資料インターフェース（ＨＤＭＩ／ＤＶＩ／ＵＤＩ）の通信設備を掲示している。光ファイバーで従来の銅線を取り替え、光ファイバーが持つ電磁の干渉なく、高速通信率及び通信時の低い消耗等の特長を利用し、高画質デジタル映像・音声資料インターフェースの通信媒介としている。
【発明を実施するための最良の形態】
【００１２】
本発明は「図１」が示すシステムの枠組を引き継いでいる。「図２」は、本発明の光ファイバー方式の高画質デジタル映像・音声資料インターフェース（ＨＤＭＩ／ＤＶＩ／ＵＤＩ）の送信／受信システムの枠組である。それには、高画質デジタル映像・音声資料インターフェースの通信設備１００と第二の高画質デジタル映像・音声資料インターフェースの通信設備１１０が含まれている。前者は送信ユニット１０１を、後者は受信ユニット１１１を含めている。図の中では、光送信ユニット２０１と光受信ユニット２１１が含まれている。光送信ユニット２０１は第一高画質デジタル映像・音声資料インターフェースの通信設備１００内に配置され、第一資料チャンネル９０１、第二資料チャンネル９０２、第三資料チャンネル９０３及びクロックチャンネル９０４等のロジックチャンネル内の資料を、光の方式で光ファイバー２０を通して第二高画質デジタル映像・音声資料インターフェースの通信設備１１０へ伝送し、光受信ユニット２１１によって資料が受け止められる。ここで、光送信ユニット２０１と光受信ユニット２１１との間は光ファイバー２０で接続され、資料の伝送が行われている。
【００１３】
本発明の具体実施例において、光送信ユニット２０１は複数の光トランシーバ用ＴＯＳＡ （Ｔｒａｎｓｍｉｔｔｅｒ  Ｏｐｔｉｃａｌ  Ｓｕｂ−Ａｓｓｅｍｂｌｙ、ＴＯＳＡ）によって構成され、一つのロジックチャンネルは一つの光トランシーバ用ＴＯＳＡ （ＴＯＳＡ）に対応している。または、複数個の二重光トランシーバ用ＴＯＳＡ（ＤｕａｌＴｒａｎｓｍｉｔｔｅｒ  Ｏｐｔｉｃａｌ  Ｓｕｂ−Ａｓｓｅｍｂｌｙ、ＤＴＯＳＡ）によって構成され、それは二つのロジックチャンネルが一つの二重光トランシーバ用ＴＯＳＡ （ＤＴＯＳＡ）に対応する。この二重光トランシーバ用ＴＯＳＡ （DＴＯＳＡ）が送信する光の波長は異なる。例えば、６５０ｎｍ、８５０ｎｍ、１３１０ｎｍと１５５０ｎｍなどの選択がある。これで、違うロジックチャンネルの信号が光信号に変換された後に、一本の光ファイバーにおいて干渉なく伝送することができる。
【００１４】
前述の二重光トランシーバ用ＴＯＳＡ （ＤＴＯＳＡ）の構造イメージ図に関しては「図３」を参照してください。図３からは、主に二つの光送信デバイス（Ｔｒａｎｓｍｉｔｔｅｒ）２５０、２５１及びフィルター２５２が含まれていることが分かる。ここで、二つの光送信デバイス２５０、２５１が送信する光の波長を１３１０ｎｍ、１５５０ｎｍのそれぞれを例に挙げれば、レーザーや発光ダイオード（ＬＥＤ）でも良いが、フィルター２５２表面の膜（鍍膜）は１３１０ｎｍの波長を通過させ、１５５０ｎｍの波長を膜に反射させる。このため、二つの光送信デバイス２５０、２５１が光を放つと同時に、信号を光ファイバー２０の中に伝送することができ、前述の目的を達成する。これはロジックチャンネルにおける信号を光信号に変換する実施方法である。この方法以外には、前述の通り、単一の光トランシーバ用ＴＯＳＡ （ＴＯＳＡ）を一つのロジックチャンネルに対応させてから、各ロジックチャンネルの信号を光信号に変換した後に、光学カプラ／スプリッタ（Ｏｐｔｉｃａｌ  Ｃｏｕｐｌｅｒ／Ｓｐｌｉｔｔｅｒ）を一本の光ファイバー内にカプラで接線させる。もちろん、同じ光ファイバー内で伝送したい光信号は違う波長でなければならない。
【００１５】
光受信ユニット２１１は複数のＲＯＳＡ（Ｒｅｃｅｉｖｅｒ  Ｏｐｔｉｃａｌ  Ｓｕｂ−Ａｓｓｅｍｂｌｙ、ＲＯＳＡ）により構成されても良い。すなわち、一つのロジックチャンネルが一つのＲＯＳＡに対応する。また、複数のＤＲＯＳＡ（Ｄｕａｌ  Ｒｅｃｅｉｖｅｒ  Ｏｐｔｉｃａｌ  Ｓｕｂ−Ａｓｓｅｍｂｌｙ、ＤＲＯＳＡ）により構成されても良い。それは、二つのロジックチャンネルが一つのＤＲＯＳＡに対応することある。「図４」が示すように、ＤＲＯＳＡは二つの光受信デバイス（Ｒｅｃｅｉｖｅｒ）２６０、２６１及びフィルター２６２によって構成される。その仕掛け原理は前述の二重光トランシーバ用ＴＯＳＡと同様なので、ここでは繰り返さない。
【００１６】
前述内容での異なったロジックチャンネルの資料は波長分割多重（Ｗ映像・音声ｅｌｅｎｇｔｈ  Ｄｉｖｉｓｉｏｎ  Ｍｕｌｔｉｐｌｅｘｉｎｇ、ＤＷＤＭ）方式、または高密度波長分割多重（Ｄｅｎｓｅ  Ｗ映像・音声ｅｌｅｎｇｔｈ  Ｄｉｖｉｓｉｏｎ  Ｍｕｌｔｉｐｌｅｘｉｎｇ、ＤＷＤＭ）方式で送信／受信をしている。光ファイバー２０は波長が１３１０ｎｍと１５５０ｎｍのシングルモードファイバー（Ｓｉｎｇｌｅ−Ｍｏｄｅ  Ｆｉｂｅｒ、ＳＭＦ）、または、波長が８５０ｎｍと１３００ｎｍのマルチモードファイバー（Ｍｕｌｔｉ−Ｍｏｄｅ  Ｆｉｂｅｒ、ＭＭＦ）でも良い。
【００１７】
本発明の具体実施例において、資料ディスプレイチャンネル９０５と消費性電子製品制御チャンネル９０６の資料は従来の銅線や光ファイバーを実際の接続に利用することができる。「図２」が示すように、第一高画質デジタル映像・音声インターフェースの通信設備１００では、第一資料ディスプレイチャンネルの通信モジュール２０２は、光ファイバー２０を通して光の形式で、資料ディスプレイチャンネル９０５と消費性電子製品制御チャンネル９０６の資料を伝送する。そして、第一光学カプラ／スプリッタ２０３を利用して光結合方式で、光送信ユニット２０１と第一資料ディスプレイチャンネルの通信モジュール２０２の資料をカプラで接線してから、光ファイバー２０を介して第二高画質デジタル映像・音声資料インターフェースの通信設備１１０へ伝送する。
【００１８】
第二高画質デジタル映像・音声資料インターフェースの通信設備１１０において、第二カプラ／スプリッタ２１３を利用し、光受信ユニット２１１と第二資料ディスプレイチャンネルの通信モジュール２１２の資料を受け取って伝送する。
【００１９】
第二資料ディスプレイチャンネルの通信モジュール２１２は光ファイバー２０を介して光形式で、資料ディスプレイチャンネル９０５と消費性電子製品制御チャンネル９０６の資料を受け取る。資料を伝送する過程では、資料ディスプレイチャンネル９０５以外のロジックチャンネルはすべて単一通信タイプであるため、第二資料ディスプレイチャンネルの通信モジュール２１２だけが、第二カプラ／スプリッタ２１３を利用して光ファイバー２０を介し、資料ディスプレイチャンネル９０５の資料を第一高画質デジタル映像・音声資料インターフェースの通信設備１００へ伝送している。
【００２０】
第一高画質デジタル映像・音声資料インターフェースの通信設備１００において、第一カプラ／スプリッタ２０３は、第二資料ディスプレイチャンネルの通信モジュール２１２が第一資料ディスプレイチャンネルの通信モジュール２０２へ伝送した資料を受信する。
【００２１】
「図５」と「図６」のそれぞれは、第一資料ディスプレイチャンネルの通信モジュール２０２の枠組、及び第二資料ディスプレイチャンネルの通信モジュール２１２の枠組を示している。
【００２２】
第一資料ディスプレイチャンネルの通信モジュール２０２において、資料ディスプレイチャンネル９０５のシリアル資料回線（ＳＤＡ）とシリアルクロック回線（ＳＣＬ）、そして消費性電子製品制御チャネル９０６の資料は、第一逆方向ユニット （逆向單元）３０１を利用して第一逆方向資料になるように処理をする。これは二進数のバイト”１”と”０”が相互に変換し、逆方向に処理されていない第一資料と共に、第一シリアルユニット３０２に入力することである。これで、同一の資料には非逆方向のバイトと対応し合う逆方向バイトが納められ、資料内容における”１”と”０”が同じ数量になる。これは光ファイバー通信におけるDCバランスの要求に一致するため、第二高画質デジタル映像・音声インターフェースの通信設備１１０において、複合時は、全部の逆方向や全部の非逆方向の信号を取れば、受け取った資料を読み取ることができる。本発明の具体実施例で、シリアル資料回線（ＳＤＡ）とシリアルクロック回線（ＳＣＬ）及び消費性電子製品制御チャンネル９０６は複数の第一逆方向ユニット （逆向單元） ３０１を使用している。
【００２３】
第一シリアルユニット３０２は、入力された第一逆方向資料と第一非逆方向資料を、第一シリアル資料になるように、第一光送信／受信ユニット３０４に出力するのに使われる。第一光送信／受信ユニット３０４は、入力された第一シリアル資料を光形式で、第一カプラ／スプリッタ２０３へ伝送し、光送信ユニット２０１をカプラで接線する。
【００２４】
第一シリアルユニット３０２は、第一カプラ／スプリッタ２０３の資料を受信してその資料を第一シリアル解読ユニット３０３へ出力するのに使われる。第一シリアル解読ユニット３０３は、第二高画質映像・音声資料インターフェースの通信設備１１０からの資料ディスプレイチャンネル９０５と消費性電子製品制御チャンネル９０６での資料をシリアル解読処理をし、シリアル資料回線（ＳＤＡ）とシリアルクロック回線（ＳＣＬ）及び消費性電子製品制御チャンネル９０６の資料を取得する。
【００２５】
一方、第二資料ディスプレイチャンネルの通信モジュール２１２では、資料ディスプレイチャンネル９０５のシリアル資料回線（ＳＤＡ）とシリアルクロック回線（ＳＣＬ）及び消費性電子製品制御チャンネル９０６での資料は、第二逆方向ユニット（逆向單元）３１１を利用して第二逆方向資料になるよう処理する。非逆方向の第二非逆方向資料と共に第二シリアルユニット３１２へ入力する。本発明の具体実施例では、シリアル資料回線（ＳＤＡ）とシリアルクロック回線（ＳＣＬ）及び消費性電子製品制御チャンネル９０６は複数の第二逆方向ユニット（逆向單元）３１１を使用している。
【００２６】
第二シリアルユニット３１２は、入力された第二逆方向資料と第二非逆方向資料を、第二シリアル資料として第二光送信／受信ユニット３１４へ出力するのに使われる。第二光送信／受信ユニット３１４は、入力された第二シリアル資料を光形式で、第二カプラ／スプリッタ２１３へ伝送するのに使用される。
【００２７】
第二シリアルユニット３１２は、第二カプラ／スプリッタ２１３からの資料を受信し、その資料を第二シリアル解読ユニット３１３へ出力するのに使われる。第二シリアル解読ユニット３１３は、第一高画質デジタル映像・音声資料インターフェースの通信設備１００から受信した資料ディスプレイチャンネル９０５と消費性電子製品制御チャンネル９０６での資料を解読処理をし、シリアル資料回線（ＳＤＡ）とシリアルクロック回線（ＳＣＬ）及び消費性電子製品制御チャンネル９０６の資料を取得する。
【００２８】
本発明の具体実施例では、第一光送信／受信ユニット３０４と第二光送信／受信ユニット３１４それぞれは、ＢＯＳＡ （Ｂｉ−ｄｉｒｅｃｔｉｏｎａｌ  Ｏｐｔｉｃａｌ  Ｓｕｂａｓｓｅｍｂｌｙ、ＢＯＳＡ）でよい。
【図面の簡単な説明】
【００２９】
【図１】従来の高画質マルチメディア通信インターフェースの送信／受信システムの構造図である。
【図２】本発明の光ファイバー方式の高画質デジタル映像・音声資料インターフェースの送信／受信システムの構造図である。
【図３】本発明の二重光トランシーバ用ＴＯＳＡの構造イメージ図である。
【図４】本発明のＲＯＳＡの構造イメージ図である。
【図５】本発明の第一資料ディスプレイチャンネルの通信モジュールの構造図である。
【図６】本発明の第二資料ディスプレイチャンネルの通信モジュールの構造図である。
【符号の説明】
【００３０】
１０  高画質マルチメディア通信インターフェースの送信設備
１１  高画質マルチメディア通信インターフェースの受信設備
２０  光ファイバー
１００  第一高画質デジタル映像・音声資料インターフェースの通信設備
１０１  送信ユニット
１１０  第二の高画質デジタル映像・音声資料インターフェースの通信設備
１１１  受信ユニット
２０１  光送信ユニット
２０２  第一資料ディスプレイチャンネルの通信モジュール
２０３  第一カプラ／スプリッタ
２１１  光受信ユニット
２１２  第二資料ディスプレイチャンネルの通信モジュール
２１３  第二カプラ／スプリッタ
２５０、２５１  光送信デバイス
２５２  フィルター
３０１  第一逆方向ユニット （逆向單元）
３０２  第一シリアルユニット
３０３  第一シリアル解読ユニット
３０４  第一光送信／受信ユニット
３１１  第二逆方向ユニット（逆向單元）
３１２  第二シリアルユニット
３１３  第二シリアル解読ユニット
３１４  第二光送信／受信ユニット
６０１、６０２、６０３  映像・音声資料
６０４  映像画素クロック
９０１  第一資料チャンネル
９０２  第二資料チャンネル
９０３  第三資料チャンネル
９０４  クロックチャンネル
９０５  資料ディスプレイチャンネル
９０６  消費性電子製品制御（ＣＥＣ）チャンネル
【図１】
2008017438.tif 000003
【図２】
2008017438.tif 000004
【図３】
2008017438.tif 000005
【図４】
2008017438.tif 000006
【図５】
2008017438.tif 000007
【図６】
2008017438.tif 000008